(57)【要約】【課題】  液晶の応答特性を改善し、動画の表示品位を向上する。【解決手段】  第１,第２,第３フレームメモリ１,２,３の何れか１つに画像データを書き込む間に、残りの２つから１垂直同期期間内に２回繰り返して画像データを読み出して演算装置４に送出し、この動作を順次フレームメモリを換えて行う。演算装置４は、入力される２つのデータ値に基づいてルックアップテーブルを引き、前画像信号のデータ値よりも現画像信号のデータ値の方が大きい場合は、現画像信号のデータ値よりも大きい値の画像データを液晶表示装置５に送出する。こうして、演算装置４に入力される画像信号が小さい画像データから大きい画像データに変化した場合には、目標データ値よりも大きな値の画像データを１垂直同期期間内に２回繰り返して液晶表示装置５に入力することによって、ステップ応答特性を改善し、動画の表示品位を向上させる。【選択図】  図１
2005099843.tif 000002
【特許請求の範囲】
【請求項１】
１垂直同期期間ごとにデータ値が変化し得る画像信号に基づいて表示を行う液晶表示装置の駆動方法であって、
液晶表示装置の各画素に書き込むべき画像データを、１垂直同期期間中に複数回各画素に供給することによって、１垂直同期期間中に各画素のステップ応答特性を改善する駆動方法。
【発明の詳細な説明】
【技術分野】
【０００１】
この発明は、動きのある画像(動画)の表示品位を向上させる液晶表示装置の駆動方法に関する。
【背景技術】
【０００２】
近年、マトリックス型液晶表示装置を用いた液晶ディスプレイは、薄型,軽量,低消費電力という特徴を生かして、ＯＡ(オフィス・オートメーション)機器を始めとしてテレビ等の表示デバイスとして、様々な商品分野が広がりつつある。このような動きの中で、液晶ディスプレイでは、単に文字や絵の表示が行われるだけではなく、テレビ信号やビデオ信号に基づく画像のように動きのある画像の表示も行われている。しかしながら、液晶ディスプレイにおいては、ＣＲＴ(陰極線管)型ディスプレイに比べて、動きのある画像の表示に対して鮮明な画像が得られないのが現状である。液晶ディスプレイに用いられる液晶は、印加電圧に対して透過率が変化する際の応答速度や液晶の誘電率変化による充電特性が悪く、画像信号の早い変化に対して十分に応答することができないのである。
【０００３】
上述のような動画表示に対する欠点を改善するために、特表平８‐５００９１５号公報においては、液晶表示装置に書き込まれた画像を表示するためのバックライトの照明を一部の時間だけ点灯して表示し、残る一部の時間は点灯しないで暗い期間を設けるようにしている。こうすることによって、見た目には画像が滑らかに動いているように感じられ、動画表示の改善が図られるのである。
【０００４】
液晶は、書き込まれた(印加された)電圧によって液晶分子の配列が変化して透過率が変化する。ところが、液晶分子の配列が変化する際に誘電率も変化し、この誘電率の変化によって印加された電圧値も変化することになる。そのために、所定の透過率を得るには、幾つかの垂直同期期間に亘って繰り返し電圧を供給する必要があり、液晶はステップ応答特性を有することになる。このステップ応答特性による液晶の応答速度低下を改善する方法として、特開平６‐６２３５５号公報においては、前の画像信号と比較して差成分を重畳させることで液晶のステップ応答特性を改善している。
【発明の開示】
【発明が解決しようとする課題】
【０００５】
しかしながら、上記従来の動画表示の欠点を改善する方法には、以下のような問題がある。すなわち、バックライトの照明を一部の時間だけ点灯する特表平８‐５００９１５号公報の場合には、上記バックライトが消灯される期間が生ずるために液晶表示装置の照度が低下し、画像が暗くなるという問題がある。また、液晶の応答速度は改善されていないために前のフレームの画像信号が重なって見え、２重３重の画像が見られる等の問題もある。
【０００６】
また、幾つかの垂直同期期間に亘って繰り返し電圧を供給するに際して前の画像信号との差成分を重畳させる特開平６‐６２３５５号公報の場合には、１垂直同期期間内で表示する場合には液晶の応答特性は全く不充分であり、例えば上記特表平８‐５００９１５号公報の場合ように一部の期間照明を暗くしても液晶の変化が不充分な期間が表示されるという問題がある。また、液晶の応答を高速にするには重畳させる電圧値を高くする必要があるが、その場合は目的とする透過率よりも透過率が大きくなる。したがって、次の１垂直同期期間では透過率を戻す必要が生じ、結果として逆のステップ応答を示すことになり応答特性は改善されないという問題がある。
【０００７】
そこで、この発明の目的は、液晶の応答特性を改善し、動画の表示品位を更に向上できる液晶表示装置の駆動方法を提供することにある。
【課題を解決するための手段】
【０００８】
上記目的を達成するため、この発明は、液晶表示装置の各画素に書き込むべき画像データを１垂直同期期間中に複数回上記液晶表示装置に供給して,液晶表示装置を駆動する液晶表示装置の駆動方法であって、１垂直同期期間中に複数回供給される画像データの総てを、前垂直同期期間における画像信号のデータ値と現垂直同期期間における画像信号のデータ値とに基づいて得ることを特徴としている。
【０００９】
上記構成によれば、前垂直同期期間における画像信号のデータ値と現垂直同期期間における画像信号のデータ値とに基づいて得られた画像データが、１垂直同期期間中に複数回液晶表示装置に供給されて、各画素に書き込まれる。したがって、例えば、前画像信号のデータ値よりも現画像信号のデータ値の方が大きい場合には上記現画像信号のデータ値よりも大きい値の画像データを上記液晶表示装置に供給するようにすれば、上記現画像信号のデータ値と同じ値の画像データを１垂直同期期間に１回ずつ複数回繰り返して供給する場合に比較して、液晶の光透過率の応答特性が改善される。また、上記現画像信号のデータ値よりも大きい値の画像データを１垂直同期期間に１回だけ供給する場合に比較して、液晶の光透過率の立上りが改善される。
【００１０】
また、この発明は、液晶表示装置の各画素に書き込むべき画像データを１垂直同期期間中に複数回上記液晶表示装置に供給して,液晶表示装置を駆動する液晶表示装置の駆動方法であって、上記１垂直同期期間中に複数回供給される画像データのうち少なくとも１回目に供給される画像データを、前垂直同期期間における画像信号のデータ値と現垂直同期期間における画像信号のデータ値とに基づいて得ることを特徴としている。
【００１１】
上記構成によれば、１垂直同期期間中に液晶表示装置に複数回供給される画像データのうち少なくとも１回目に供給される画像データが、前垂直同期期間における画像信号のデータ値と現垂直同期期間における画像信号のデータ値とに基づいて得られる。したがって、例えば、前画像信号のデータ値よりも現画像信号のデータ値の方が大きい場合には上記現画像信号のデータ値よりも大きい値の画像データを上記１回目に供給するようにすれば、上記現画像信号のデータ値と同じ値の画像データを１垂直同期期間に１回ずつ複数回繰り返して供給する場合や上記現画像信号のデータ値よりも大きい値の画像データを１垂直同期期間に１回だけ供給する場合に比較して、液晶の光透過率の応答特性が改善される。
【００１２】
また、一実施例では、この発明の液晶表示装置の駆動方法において、上記１垂直同期期間中に複数回供給される画像データのうち２回目以降に供給される画像データを、上記現垂直同期期間における画像信号のデータ値と同じ値を有する画像データとしている。
【００１３】
この実施例によれば、上記１垂直同期期間中に複数回供給される画像データのうち２回目以降に供給される画像データが、上記現垂直同期期間における画像信号のデータ値と同じ値の画像データであるため、上記１回目に供給される画像データを適切に設定すれば、上記液晶の目標とする光透過率への到達時間が短縮される。したがって、動画の表示品位が更に向上される。
【００１４】
また、一実施例では、この発明の液晶表示装置の駆動方法において、上記１垂直同期期間中に複数回供給される画像データのうち、２回目以降に供給される画像データのうちの少なくとも１回の供給を、上記前垂直同期期間における画像信号のデータ値と現垂直同期期間における画像信号のデータ値との間の所定値を有する画像データとしている。
【００１５】
この実施例によれば、上記１垂直同期期間中に複数回供給される画像データのうち、２回目以降に供給される画像データのうちの少なくとも１回の供給が、上記前垂直同期期間における画像信号のデータ値と現垂直同期期間における画像信号のデータ値との間の所定値を有しているため、上記１回目に供給される画像データと２回目以降に供給される画像データとを適切に設定すれば、上記液晶の光透過率の立上りが改善され、しかも１垂直同期期間内に目標とする光透過率に到達するようになる。さらに、時間的に積分された光量が、目標とする透過率で１垂直同期期間中に感じる光量と同じに知覚されるため、光透過率が改善される。
【発明の効果】
【００１６】
以上より明らかなように、この発明の液晶表示装置の駆動方法は、液晶表示装置の各画素に書き込むべき画像データを、前垂直同期期間における画像信号のデータ値と現垂直同期期間における画像信号のデータ値とに基づいて得、この得られた画像データを１垂直同期期間中に複数回液晶表示装置に供給するので、例えば、前画像信号のデータ値よりも現画像信号のデータ値の方が大きい場合には上記現画像信号のデータ値よりも大きい値の画像データを上記液晶表示装置に供給するようにすれば、上記現画像信号のデータ値と同じ値の画像データを１垂直同期期間に１回ずつ複数回繰り返して供給する場合に比較して、液晶の光透過率の応答特性を改善することができる。また、上記現画像信号のデータ値よりも大きい値の画像データを１垂直同期期間に１回だけ供給する場合に比較して、液晶の
光透過率の立上りを改善できる。
【００１７】
上述のことは、上記前画像信号のデータ値よりも現画像信号のデータ値の方が小さい場合や同じである場合でも同様である。すなわち、この発明によれば、入力画像信号に応じた光透過率に短期間で到達して高速な画像表示を可能にし、動画の表示品位を向上できるのである。
【００１８】
また、この発明は、液晶表示装置の各画素に書き込むべき画像データを１垂直同期期間中に複数回上記液晶表示装置に供給するに際して、少なくとも１回目に供給される画像データを、前垂直同期期間における画像信号のデータ値と現垂直同期期間における画像信号のデータ値とに基づいて得るので、例えば、前画像信号のデータ値よりも現画像信号のデータ値の方が大きい場合には上記現画像信号のデータ値よりも大きい値の画像データを１回目に供給するようにすれば、上記現画像信号のデータ値と同じ値の画像データを１垂直同期期間に１回ずつ複数回繰り返して供給する場合や上記現画像信号のデータ値よりも大きい値の画像データを１垂直同期期間に１回だけ供給する場合に比較して、液晶の光透過率の応答特性を改善することができる。
【００１９】
上述のことは、上記前画像信号のデータ値よりも現画像信号のデータ値の方が小さい場合や同じである場合でも同様である。すなわち、この発明の発明によれば、入力画像信号に応じた光透過率に短期間で到達して高速な画像表示を可能にし、動画の表示品位を向上できるのである。
【００２０】
また、一実施例の液晶表示装置の駆動方法は、上記１垂直同期期間中に複数回供給される画像データのうち２回目以降に供給される画像データを、上記現垂直同期期間における画像信号のデータ値と同じ値の画像データにしたので、上記１回目に供給される画像データを適切に設定することによって、上記液晶の目標とする光透過率への到達時間を短縮することができる。したがって、動画の表示品位を更に向上できる。
【００２１】
また、一実施例の液晶表示装置の駆動方法は、上記１垂直同期期間中に複数回供給される画像データのうち２回目以降に供給される画像データのうちの少なくとも１回の供給を、上記前垂直同期期間における画像信号のデータ値と現垂直同期期間における画像信号のデータ値との間の所定値の画像データにしたので、上記１回目に供給される画像データと２回目以降に供給される画像データとを適切に設定することによって、上記液晶の光透過率の立上りを改善し、しかも１垂直同期期間内に目標とする光透過率に到達するようにできる。また、表示画素の光透過率が目標の透過率よりも一旦大きくなるので、１垂直同期期間中に積分された光量によって液晶応答時の不足分の光量を補うことができる。したがって、上記目的とする透過率で１垂直同期期間中に感じる光量と同じ光量を感じることになり、光透過率を改善することができる。
【発明を実施するための最良の形態】
【００２２】
以下、この発明を図示の実施の形態により詳細に説明する。
【００２３】
＜第１実施の形態＞
図１は、本実施の形態の液晶表示装置の駆動方法を実現する駆動回路のブロック図である。ビデオ機器等から順次読み出された各画素毎のＲ,Ｇ,Ｂ用のディジタル画像信号が入力画像信号として第１フレームメモリ１,第２フレームメモリ２および第３フレームメモリ３に入力される。図２は、各フレームメモリ１,２,３の書き込み動作信号を示す。また、図３は、各フレームメモリ１,２,３の読み出し動作信号を示す。図２及び図３において、「Ａ」,「Ｂ」,「Ｃ」,「Ｄ」,「Ｙ」,「Ｚ」の夫々は、各フレームメモリ１,２,３に書き込まれた画像データを示す。
【００２４】
本実施の形態においては、図２および図３から分かるように、第１フレームメモリ１,第２フレームメモリ２および第３フレームメモリ３のうち何れか１つのフレームメモリに入力される画像データが書き込まれている間に、残りの２つのフレームメモリからは１垂直同期期間内に２回繰り返して画像データが読み出されるのである。こうして、入力される画像信号の１垂直同期期間が終了すれば、画像データＡが書き込まれた第１フレームメモリ１は、次の１垂直同期期間では読み出し用のフレームメモリとなり、別の第２フレームメモリ２に次の画像データＢが書き込まれる。以後、この動作が順に繰り返されて、常に１つのフレームメモリは画像データの書き込みに使用され、残りの２つのフレームメモリは画像データの読み出しに使用されるのである。こうして２つのフレームメモリから読
み出された２つの画像データは演算装置４に送出される。
【００２５】
上記演算装置４はルックアップテーブルを有しており、入力される２つのフレームメモリからの画像信号のデータ値(電圧値)に基づいて上記ルックアップテーブルを引き、得られたデータ値(電圧値)でなる画像信号を液晶表示装置５に送出する。尚、詳述はしないが、こうして液晶表示装置５に送出された画像信号によって、所望の画素の画素電極(図示せず)に上記データ値の電圧が印加される。そして、印加された電圧によって液晶分子の配列が変化して光透過率が変化し、当該画素が表示されるのである。
【００２６】
図４に、上記ルックアップテーブルの一例を示す。このルックアップテーブルは、前画像信号のデータ値と現画像信号のデータ値との交差位置には、前画像信号のデータ値よりも現画像信号のデータ値の方が大きい場合には、現画像信号のデータ値よりも大きい値のデ−タ値が書き込まれ、前画像信号のデータ値よりも現画像信号のデータ値の方が小さい場合には、現画像信号のデータ値よりも小さい値のデ−タ値が書き込まれ、前画像信号のデータ値と現画像信号のデータ値が同じ場合には、現画像信号のデータ値が書き込まれている。
【００２７】
したがって、上記演算装置４は、第１フレームメモリ１からの画像データＡと第３フレームメモリ３からの画像データＺとを受け取ると、前画像信号のデータ値Ｚよりも現画像信号のデータ値Ａの方が大きい場合には、現画像信号のデータ値Ａよりも大きい値のデ−タ値を液晶表示装置５に送出する。また、前画像信号のデータ値Ｚよりも現画像信号のデータ値Ａの方が小さい場合には、現画像信号のデータ値Ａよりも小さい値のデ−タ値を液晶表示装置５に送出する。また、前画像信号のデータ値Ｚと現画像信号のデータ値Ａが同じ場合には、現画像信号のデータ値Ａを液晶表示装置５に送出するのである。
【００２８】
図５は、上記液晶表示装置５に入力されて所望の画素の画素電極に印加される画像信号のデータ値(電圧値)および光透過率の時間変化を示す。尚、縦軸は相対強度である。図５中、(a)は書き込もうとする(目標とする)データ値であり、(b)は演算装置４から入力されたデータ値であり、(c)は液晶表示装置５における表示画素の光透過率である。演算装置４に入力される画像信号が小さい画像データから大きい画像データに変化した場合は、図５に示すように、液晶表示装置５には書き込もうとするデータ値(a)よりも大きな値のデ−タ値(b)が１垂直同期期間内に２回繰り返して入力される。その場合、図６に示すように目標データ値(a)と同じ値のデ−タ値(b)を１垂直同期期間に１回ずつ３回繰り返して入力した場合に比較して、表示画素の光透過率(c)のステップ応答が改善されているのが分
かる。
【００２９】
また、図７は、図５に示す場合と全く同じデータ値(a),(b)であって、データ値(b)の入力回数を１回とした場合である。この場合、図５に示す場合と比較して表示画素の光透過率(c)の立ち上がりの傾きが悪く、データ値(b)の繰り返し入力が液晶表示装置５の光透過率(c)の立上りの改善に効果があることが分かる。
【００３０】
以上のごとく、本実施の形態においては、入力画像信号を書き込む第１,第２第３フレームメモリ１,２,３を有し、何れか１つのフレームメモリに画像データを書き込む間に、残りの２つのフレームメモリから１垂直同期期間内に２回繰り返して画像データを読み出して演算装置４に送出し、この動作をフレームメモリを順次切換えて行うようにしている。そして、演算装置４は、入力される２つのフレームメモリからの画像信号のデータ値に基づいてルックアップテーブルを引き、例えば第３フレームメモリ３からの前画像信号のデータ値Ｚよりも第１フレームメモリ１からの現画像信号のデータ値Ａの方が大きい場合には現画像信号のデータ値Ａよりも大きい値のデータ値を、小さい場合には現画像信号のデータ値Ａよりも小さい値のデータ値を、同じ場合には現画像信号のデータ値Ａを、夫々液晶表示装置５に送出するようにしている。
【００３１】
したがって、上記演算装置４に入力される画像信号が小さい画像データから大きい画像データに変化した場合には、図５に示すように、目標データ値(a)よりも大きな値のデ−タ値(b)が１垂直同期期間内に２回繰り返して液晶表示装置５に入力される。その結果、図６に示すように目標データ値(a)と同じ値のデータ値(b)を１垂直同期期間に１回ずつ３回繰り返して入力した場合に比較して、液晶の光透過率(c)の応答特性が改善される。また、図７に示すようにデータ値(b)の入力回数を１回とした場合に比較して液晶の光透過率(c)の立上りが改善される。
【００３２】
すなわち、本実施の形態によれば、上記液晶表示装置５の応答特性を改善し、入力画像信号に応じた透過率に短期間で到達し、高速な画像表示を可能にし、動画の表示品位を向上できるのである。
【００３３】
尚、上記実施の形態においては、上記各フレームメモリ１,２,３からの読み出しは画像入力信号の１垂直同期期間内に２回繰り返して行なっているが、繰り返し回数は２回に限定されるものではない。繰り返し回数は多い程液晶表示装置５のステップ応答特性は改善されて、高速な画像表示が可能とはなる。しかしながら、その場合には、短時間に液晶に電荷が充電されるように液晶駆動素子等の性能を向上させる必要がある。
【００３４】
また、上記実施の形態においては、上記演算装置４は、上記２つのフレームメモリから送出されてくる２つの画像データに基づいて上記ルックアップテーブルを引いて液晶表示装置５への出力データ値を得るルックアップテーブル方式を用いている。しかしながら、必ずしも上記ルックアップテーブル方式による必要はない。他の方法としては、現画像信号のデータ値Ａと前画像信号のデータ値Ｚとに基づいて、例えば「Ａ＋(Ａ−Ｚ)×α」等の演算を行う演算回路を上記演算装置に搭載する。そして、演算回路からの出力を新たな画像信号として液晶表示装置５に出力するようにしてもよい。
【００３５】
＜第２実施の形態＞
図８は、本実施の形態の液晶表示装置の駆動方法を実現する駆動回路のブロック図である。第１フレームメモリ１１,第２フレームメモリ１２,第３フレームメモリ１３および液晶表示装置１５は、図１に示す第１フレームメモリ１,第２フレームメモリ２,第３フレームメモリ３および液晶表示装置５と同じ構成を有する。
【００３６】
上記第１実施の形態における演算装置４は、１垂直同期期間内に２回出力するデータ値のうち２回とも上記ルックアップテーブルを引いて得たデータ値を出力している。これに対して、本実施の形態における演算装置１４は、１垂直同期期間内に２回出力するデータ値のうち１回目のデータ値は、上記第１実施の形態の場合と同様にして上記ルックアップテーブルを引いて得たデータ値を出力する。ところが、２回目のデータ値は、入力された２つのフレームメモリからの画像信号のうち現画像信号のデータ値を出力するのである。
【００３７】
図９は、上記液晶表示装置１５に入力される画像信号のデータ値および光透過率の時間変化を示す。図９中、(a)は目標データ値であり、(b)は演算装置１４から入力されたデータ値であり、(c)は表示画素の光透過率である。演算装置１４に入力される画像信号が小さい画像データから大きい画像データに変化した場合には、図９に示すように、液晶表示装置１５には目標データ値(a)よりも大きな値のデ−タ値(b1)が１垂直同期期間の前半に１回入力される。次に、同じ垂直同期期間の後半に、現画像信号のデータ値(b2)、つまり目標データ値(a)が１回入力されるのである。
【００３８】
その場合、図６に示すように目標データ値(a)と同じ値のデータ値(b)を１垂直同期期間に１回ずつ３回繰り返して入力した場合に比較して、光透過率(c)の応答特性を改善できる。また、図７に示すようにデータ値(b)の入力回数を１回にした場合に比較して、光透過率(c)の立上りを改善できる。さらに、図９に示すように、１回目に入力されるデータ値(b1)を、図５に示す上記第１実施の形態における１回目に入力されるデータ値(b)よりもやや高い適切な値に設定しておくことによって、上記第１実施の形態の場合よりも目標データ値(a)への到達時間を短縮できるのである。
【００３９】
以上のごとく、本実施の形態においては、演算装置１４は、入力された２つのフレームメモリからの画像信号のデータ値に基づいて上記ルックアップテーブルを引いて、１垂直同期期間の前半１回目のデータ値を液晶表示装置１５に出力する。一方、同じ垂直同期期間の後半２回目のデータ値は、入力された２つのフレームメモリからのデータ値のうち現画像信号のデータ値を液晶表示装置１５に出力するのである。
【００４０】
したがって、上記１回目に入力されるデータ値(b1)を、上記第１実施の形態における１回目に入力されるデータ値(b)よりもやや高い適切な値に設定しておくことによって、上記第１実施の形態の場合よりも目標データ値(a)への到達時間を短縮でき、動画の表示品位を更に向上できるのである。
【００４１】
尚、本実施の形態の場合においても、上記第１実施の形態の場合と同様に、各フレームメモリ１１〜１３からの読み出しの繰り返し回数は２回に限定されるものではない。繰り返し回数は多い程液晶表示装置１５のステップ応答特性は改善されて、高速な画像表示が可能とはなる。しかしながら、その場合は、短時間に液晶に電荷が充電されるように液晶駆動素子等の性能を向上させる必要がある。また、演算装置１４の動作は上記ルックアップテーブル方式による必要はなく、現画像信号のデータ値Ａと前画像信号のデータ値Ｚとに基づいて、例えば「Ａ＋（Ａ−Ｚ)×α」等の演算を行う演算回路を上記演算装置に搭載してもよい。
【００４２】
さらに、上記１垂直同期期間中に表示動作を２回繰り返す場合には、図８における第１,第２,第３フレームメモリ１１,１２,１３に換えて、入出力が非同期のＦＩＦＯ(先入れ先出し)メモリを用いることもできる。その場合には、図１０に示すように、第１ＦＩＦＯメモリ２１と第２ＦＩＦＯメモリ２２とを直列に接続し、第１ＦＩＦＯメモリ２１からの出力と第２ＦＩＦＯメモリ２２からの出力とを演算装置２３に入力するのである。尚、演算装置２３および液晶表示装置２４は、図１における演算装置４および液晶表示装置５と同じ構成である。
【００４３】
図１１は、各ＦＩＦＯメモリ２１,２２の書き込み動作信号を示す。また、図１２は、各ＦＩＦＯメモリ２１,２２の読み出し動作信号を示す。図１１および図１２において、「Ａ」,「Ｂ」,「Ｃ」,「Ｄ」,「Ｚ」の夫々は、各ＦＩＦＯメモリ２１,２２に書き込まれた画像データを示す。
【００４４】
図１１および図１２から分かるように、上記第１ＦＩＦＯメモリ２１には、１垂直同期期間毎に順次画像データが書き込まれる。そして、書き込み速度の２倍速で画像データが読み出されて演算装置２３および第２ＦＩＦＯメモリ２２に送出される。したがって、図１１における第２ＦＩＦＯメモリ２２の書き込み画像データと図１２における第１ＦＩＦＯメモリ２１の読み出し画像データとは、同一である。また、第２ＦＩＦＯメモリ２２では、第１ＦＩＦＯメモリ２１の読み出し速度と同じ速度(１垂直同期期間に２回の速度)で書き込み読み出しが行われる。その結果、第２ＦＩＦＯメモリ２２からは、第１ＦＩＦＯメモリ２１から出力された画像データと同じ画像データが１画像期間遅れて出力されるのである。
【００４５】
したがって、上記演算装置２３には、１回置きに上記第１ＦＩＦＯメモリ２１と第２ＦＩＦＯメモリ２２とから同じ値の画像データが入力されることになる。その結果、演算装置２３は、図１２において、第１ＦＩＦＯメモリ２１から２回繰り返して入力される同一のデータ値Ａ,Ａのうち、１回目のデータ値Ａを前画像信号のデータ値Ｚと組み合せて上記ルックアップテーブルを引き、データ値Ａのデータ値Ｚに対する大小に応じたデータ値を液晶表示装置２４に出力する。一方、２回目のデータ値Ａは同一のデータ値Ａ(前画像信号のデータ値)と組み合せて上記ルックアップテーブルを引き、現画像信号のデータ値Ａを液晶表示装置２４に出力するのである。
【００４６】
すなわち、図１０の構成によれば、図８の構成と同じ表示動作を２つのメモリによって実現可能になり、画像を記憶するメモリ容量を縮小し、駆動回路の簡素化およびコストの低減を図ることができるのである。
【００４７】
＜第３実施の形態＞
図１３は、本実施の形態の液晶表示装置の駆動方法を実現する駆動回路のブロック図である。第１フレームメモリ３１,第２フレームメモリ３２,第３フレームメモリ３３および液晶表示装置３５は、図１に示す第１フレームメモリ１,第２フレームメモリ２,第３フレームメモリ３および液晶表示装置５と同じ構成を有する。
【００４８】
上記第１実施の形態における演算装置４は、１垂直同期期間内に２回出力するデータ値のうち２回とも上記ルックアップテーブルを引いて得たデータ値を出力している。これに対して、本実施の形態における演算装置３４は、１垂直同期期間内に２回出力するデータ値のうち１回目のデータ値は、上記第１実施の形態の場合と同様にして上記ルックアップテーブルを引いて得たデータ値を出力する。ところが、２回目のデータ値は、入力された２つのフレームメモリからのデータ値の間の値(つまり、現画像信号のデータ値と前画像信号のデータ値との間の値)となる新たな画像信号を液晶表示装置３５に出力するのである。
【００４９】
図１４は、上記液晶表示装置３５に入力される画像信号のデータ値および光透過率の時間変化を示す。図１４中、(a)は目標データ値であり、(b)は演算装置３４から入力されたデータ値であり、(c)は表示画素の光透過率である。演算装置３４に入力される画像信号が小さい画像データから大きい画像データに変化した場合には、図１４に示すように、液晶表示装置３５には目標データ値(a)よりも大きな値のデータ値(b3)が１垂直同期期間の前半に１回入力される。次に、同じ垂直同期期間の後半に、現画像信号のデータ値(つまり目標データ値(a))よりも小さく、且つ、前画像信号のデータ値よりも大きな値のデータ値(b4)が１回入力されるのである。
【００５０】
この場合、図１４に示すように、上記表示画素の光透過率(c)は目標の透過率よりも一旦大きくなるが、１垂直同期期間中に目的とする透過率に戻るため、結果として積分された光量が液晶応答時の不足分の光量を補い、目的とする透過率で１垂直同期期間中に感じる光量と同じ光量を感じることになる。こうして、光透過率が改善されるのである。
【００５１】
本実施の形態の場合も、図６に示すように目標データ値(a)と同じ値のデ−タ値(b)を１垂直同期期間に１回ずつ３回繰り返して入力した場合に比較して、光透過率(c)のステップ応答性を改善できる。また、図７に示すようにデータ値(b)の入力回数を１回にした場合に比較して、光透過率(c)の立上りを改善し、目的とする透過率で１垂直同期期間中に感じる光量と同じ光量が知覚されるようにできる。
【００５２】
尚、本実施の形態の場合においても、上記第１実施の形態の場合と同様に、各フレームメモリ３１〜３３からの読み出しの繰り返し回数は２回に限定されるものではない。繰り返し回数は多い程液晶表示装置３５のステップ応答特性は改善されて、高速な画像表示が可能とはなる。しかしながら、その場合は、短時間に液晶に電荷が充電されるように液晶駆動素子等の性能を向上させる必要がある。また、演算装置３４の動作は上記ルックアップテーブル方式による必要はなく、現画像信号のデータ値Ａと前画像信号のデータ値Ｚとに基づいて、例えば「Ａ＋（Ａ−Ｚ)×α」等の演算を行う演算回路を上記演算装置に搭載してもよい。
【００５３】
＜第４実施の形態＞
図１５は、本実施の形態の液晶表示装置の駆動方法を実現する駆動回路のブロック図である。第１フレームメモリ４１,第２フレームメモリ４２,第３フレームメモリ４３および液晶表示装置４５は、図１に示す第１フレームメモリ１,第２フレームメモリ２,第３フレームメモリ３および液晶表示装置５と同じ構成を有する。
【００５４】
上記第３実施の形態における演算装置３４は、１垂直同期期間内に２回出力するデータ値のうち１回目のデータ値は、上記ルックアップテーブルを引いて得たデータ値を出力し、２回目のデータ値は、入力された２つのフレームメモリからのデータ値の間の値(つまり、現画像信号のデータ値と前画像信号のデータ値との間の値)となる新たな画像信号を液晶表示装置３５に出力している。これに対して、本実施の形態における演算装置４４は、１垂直同期期間内にデータ値を３回出力するようにしている。そして、３回出力するデータ値のうち１回目および２回目のデータ値は、上記第１実施の形態の場合と同様にして上記ルックアップテーブルを引いて得たデータ値を出力する。そして、３回目のデータ値は、入力された２つのフレームメモリからのデータ値の間の値(つまり、現画像信号のデータ値と前画像信号のデータ値との間の値)となる新たな画像信号を液晶表示装置４５に出力するのである。
【００５５】
図１６は、上記液晶表示装置４５に入力される画像信号のデータ値および光透過率の時間変化を示す。図１６中、(a)は目標データ値であり、(b)は演算装置４４から入力されたデータ値であり、(c)は表示画素の光透過率である。演算装置４４に入力される画像信号が小さい画像データから大きい画像データに変化した場合には、図１６に示すように、液晶表示装置４５には目標データ値(a)よりも大きな値のデータ(b５)が、１垂直同期期間を３分割したうちの１回目および２回目に入力される。次に、同じ垂直同期期間の３回目に、現画像信号のデータ値(つまり目標データ値(a))よりも小さく、且つ、前画像信号のデータ値よりも大きな値のデータ値(b６)が１回入力されるのである。
【００５６】
この場合、図１６に示すように、上記表示画素の光透過率(c)は目標の透過率よりも一旦大きくなるが、１垂直同期期間中に目的とする透過率に戻るため、結果として積分された光量が液晶応答時の不足分の光量を補い、目的とする透過率での１垂直同期期間中における光量と同じ光量を感じることになる。こうして、光透過率が改善されるのである。また、１垂直同期期間の１回目および２回目に入力される画像データ(b５)を、上記第３実施の形態における１垂直同期期間の１回目の画像データ(b３)よりも小さな値にできるため、第３実施の形態の場合に比較して、液晶駆動素子の耐電圧は小さくて済む。
【００５７】
本実施の形態の場合も、図６に示すように目標データ値(a)と同じ値のデータ値(b)を１垂直同期期間に１回ずつ３回繰り返して入力した場合に比較して、光透過率(c)のステップ応答性を改善できる。また、図７に示すようにデータ値(b)の入力回数を１回にした場合に比較して、光透過率(c)の立上りを改善し、目的とする透過率の１垂直同期期間中の光量と同量に知覚されるようにできる。
【００５８】
尚、本実施例の形態の場合においても、上記第１実施の形態の場合と同様に、演算装置４４の動作は上記ルックアップテーブル方式による必要はなく、現画像信号のデータ値Ａと前画像信号のデータ値Ｚに基づいて、例えば「Ａ＋(Ａ−Ｚ)×α」等の演算を行う演算回路を上記演算装置に搭載しても良い。
【図面の簡単な説明】
【００５９】
【図１】この発明の液晶表示装置の駆動方法を実現する駆動回路のブロック図である。
【図２】図１における各フレームメモリの書き込み動作信号を示す図である。
【図３】図１における各フレームメモリの読み出し動作信号を示す図である。
【図４】ルックアップテーブルの一例を示す図である。
【図５】図１における液晶表示装置に入力される画像信号のデータ値および光透過率の時間変化を示す図である。
【図６】同じデータ値を１垂直同期期間に１回ずつ３回繰り返して入力した場合のデータ値および光透過率の時間変化を示す図である。
【図７】１垂直同期期間にデータ値を１回入力した場合のデータ値および光透過率の時間変化を示す図である。
【図８】図１とは異なる駆動回路のブロック図である。
【図９】図８における液晶表示装置に入力される画像信号のデータ値および光透過率の時間変化を示す図である。
【図１０】図１および図８とは異なる駆動回路のブロック図である。
【図１１】図１０における各ＦＩＦＯメモリの書き込み動作信号を示す図である。
【図１２】図１０における各ＦＩＦＯメモリの読み出し動作信号を示す図である。
【図１３】図１,図８および図１０とは異なる駆動回路のブロック図である。
【図１４】図１３における液晶表示装置に入力される画像信号のデータ値および光透過率の時間変化を示す図である。
【図１５】図１、図８、図１０及び図１３とは異なる駆動回路のブロック図である。
【図１６】図１５における液晶表示装置に入力される画像信号のデータ値および光透過率の時間変化を示す図である。
【符号の説明】
【００６０】
１,１１,３１,４１…第１フレームメモリ、
２,１２,３２,４２…第２フレームメモリ、
３,１３,３３,４３…第３フレームメモリ、
４,１４,２３,３４,４４…演算装置、
５,１５,２４,３５,４５…液晶表示装置、
２１…第１ＦＩＦＯメモリ、
２２…第１ＦＩＦＯメモリ。
【図１】
2005099843.tif 000003
【図２】
2005099843.tif 000004
【図３】
2005099843.tif 000005
【図４】
2005099843.tif 000006
【図５】
2005099843.tif 000007
【図６】
2005099843.tif 000008
【図７】
2005099843.tif 000009
【図８】
2005099843.tif 000010
【図９】
2005099843.tif 000011
【図１０】
2005099843.tif 000012
【図１１】
2005099843.tif 000013
【図１２】
2005099843.tif 000014
【図１３】
2005099843.tif 000015
【図１４】
2005099843.tif 000016
【図１５】
2005099843.tif 000017
【図１６】
2005099843.tif 000018